(57)【要約】  【課題】  構造が単純で、かつ外枠に対して中枠を強固に軸支できる上ヒンジを備えた遊技機を提供する。  【解決手段】  外枠に固定された上ヒンジを構成するラッチ部３２において、ラッチ片３５の把持頭部５２を上方に押し上げる。すると、ラッチ延設片３４の嵌合溝が露出される。さらに、ラッチ当接部５４が、外枠の前方側に移動する。そして、このラッチ当接部５４に中枠の上端部を当接し、ラッチ延設片３４の先端に設けられた嵌合溝の前方側から、中枠側の軸ピンを挿入する。すると、ラッチ当接部５４が押し込まれるのと連動して、把持頭部５２が、揺動軸３７を軸心として自動的に下方に移動する。すると、把持頭部５２の鉤状係合部が、軸ピンの頭部に係合する。こうして、中枠側のヒンジ掛け部の軸ピンを、ラッチ部３２のラッチ片３５に強固に把持させることができる。【選択図】  図１２
2005253701.tif 000002
【特許請求の範囲】
【請求項１】
略矩形状に形成され、遊技者と対向する前面側に遊技盤を着脱可能に支持する中枠と、
当該中枠を、上ヒンジおよび下ヒンジを介して、略水平方向に回動可能に軸支する略矩形状の外枠と
を備え、
前記上ヒンジは、
前記中枠の左上角部近傍又は右上角部近傍に固定された金属板と、
当該金属板より略垂直上方に突設され、先端部に頭部を有する軸ピンと、
前記外枠の左上角部近傍又は右上角部近傍に固定され、前記軸ピンの前記頭部を着脱可能に把持するラッチ部と
を備えたことを特徴とする遊技機。
【請求項２】
前記ラッチ部は、
前記外枠の左上角部近傍又は右上角部近傍に固定される固定片と、
当該固定片より、前記外枠の前記前面側に向かって略水平に延設された延設片と、
当該延設片の先端部に設けられ、前記軸ピンが嵌合する嵌合溝と、
当該嵌合溝に設けられたラッチ片と、
当該ラッチ片の一端部に設けられ、前記軸ピンの前記頭部を把持する把持部と、
前記ラッチ片を軸支し、前記ラッチ片を前記外枠の前面側および後面側に対して上下方向に揺動させる揺動軸と
を備えていることを特徴とする請求項１に記載の遊技機。
【請求項３】
前記ラッチ片は、平面視略Ｌ字型に形成され、
前記ラッチ片の、前記一端部は、前記外枠の前記前面側に向かって延設され、
前記ラッチ片の、前記一端部とは反対の他端部は下方に向かって延設され、
前記ラッチ片の、前記他端部に対して、前記中枠の上端部が当接して押し込まれることにより、前記ラッチ片の前記一端部は、前記揺動軸を軸心として下方に移動し、
前記一端側に設けられた前記把持部が、前記軸ピンの前記頭部を把持することを特徴とする請求項２に記載の遊技機。
【請求項４】
前記ラッチ部は、ダイキャストで成型されることを特徴とする請求項１乃至３の何れかに記載の遊技機。
【発明の詳細な説明】
【技術分野】
【０００１】
本発明は、遊技機に関し、詳細には、外枠と中枠とを連結する上ヒンジの構造を備えた遊技機に関する。
【背景技術】
【０００２】
従来、遊技機の一種であるパチンコ機において、遊技者に対向する前面側に遊技盤を支持する略長方形状の中枠は、略長方形状の外枠に対して回動可能に軸支されている。この中枠には、遊技盤の他に、制御装置などの各種装置や、打球供給皿およびスピーカなどの各種部品が各々組み付けられている。そして、このようなパチンコ機において、制御装置などの各種装置の交換および修理などを行う際には、中枠を外枠に対して略水平方向に回動させ、中枠の裏面側に組み付けられている制御装置などを露出させている。そして、このような中枠の軸支構造は、外枠と中枠とを連結する上ヒンジおよび下ヒンジによって可能とされている。
【０００３】
そして、外枠に対する中枠の着脱作業は、中枠を上方にやや持ち上げた状態で、上ヒンジおよび下ヒンジのはめ合わせをほぼ同時にすることで行われていた。しかし、中枠には、各種装置および各種基板が組み付けられているので、極めて重量が重く、中枠を保持した状態で各ヒンジのはめ合わせをしなければならないため、中枠の着脱作業は非常に労力を要するものであった。そこで、例えば、上ヒンジであるヒンジ部材を、中枠体（中枠）に固定されるヒンジ軸支持体と、外枠体（外枠）に固定されるヒンジ軸受体とで構成し、ヒンジ軸受体は、ヒンジ軸支持体に凸設されたヒンジ軸を受けるロック係合凹部と、ヒンジ軸支持体のヒンジ軸を移動させてロック係合凹部に導く軸誘導部と、軸誘導部を閉鎖してヒンジ軸を軸誘導部に侵入できなくするロック爪体とを備えたパチンコ機の外枠体に前面扉枠を開閉可能に取付けるヒンジ構造が提案されている（例えば、特許文献１参照）。このパチンコ機では、ロック係合凹部はロック爪体が軸誘導部を閉鎖した状態でも、ヒンジ軸をロック係合凹部と垂直方向に出し入れ可能に形成されているため、下ヒンジ側のはめ合わせをするだけで、ワンタッチで上ヒンジのヒンジ部材を係合させることができ、中枠体の着脱を迅速かつ容易に行うことができる。
【特許文献１】特開平１１−９９２６９号公報
【発明の開示】
【発明が解決しようとする課題】
【０００４】
しかしながら、特許文献１に記載のパチンコ機の外枠体に前面扉枠を開閉可能に取付けるヒンジ構造では、ヒンジ軸受体の構造が非常に複雑であり、多数の部材が互いに連動してヒンジ軸を係合保持する構成を有している。そのため、多数の金属製の部材が互いに接触して摺動する際に、金属摩擦が複数の箇所で起きるため、ヒンジ軸受体がヒンジ軸支持体のヒンジ軸を滑らかに係合保持できないという問題点があった。さらに、ヒンジ軸受体の係合保持が滑らかに行われないと、上ヒンジにおけるはめ合わせに余分な力が必要となり、中枠体の外枠体に対する組み付けが困難になるという問題点もあった。また、ヒンジ軸受体の構造が非常に複雑であるため、ヒンジ軸受体の構成部品の交換および修理が非常に面倒であるという問題点があった。また、パチンコ機が長期間にわたってホールで使用され、中枠体の重量によって上ヒンジおよび下ヒンジに負荷がかかる場合に、上ヒンジの構造が複雑であるため、上ヒンジの構成部品にズレが生じやすく、上ヒンジにおけるはめ合わせが困難になるという問題点もあった。
【０００５】
本発明は、上述の課題を解決するためになされたものであり、構造が単純で、かつ外枠に対して中枠を強固に軸支できる上ヒンジを備えた遊技機を提供することを目的とする。
【課題を解決するための手段】
【０００６】
上記目的を達成するために、請求項１に係る発明の遊技機では、略矩形状に形成され、遊技者と対向する前面側に遊技盤を着脱可能に支持する中枠と、当該中枠を、上ヒンジおよび下ヒンジを介して、略水平方向に回動可能に軸支する略矩形状の外枠とを備え、前記上ヒンジは、前記中枠の左上角部近傍又は右上角部近傍に固定された金属板と、当該金属板より略垂直上方に突設され、先端部に頭部を有する軸ピンと、前記外枠の左上角部近傍又は右上角部近傍に固定され、前記軸ピンの前記頭部を着脱可能に把持するラッチ部とを備えている。
【０００７】
また、請求項２に係る発明の遊技機では、請求項１に記載の発明の構成に加え、前記ラッチ部は、前記外枠の左上角部近傍又は右上角部近傍に固定される固定片と、当該固定片より、前記外枠の前記前面側に向かって略水平に延設された延設片と、当該延設片の先端部に設けられ、前記軸ピンが嵌合する嵌合溝と、当該嵌合溝に設けられたラッチ片と、当該ラッチ片の一端部に設けられ、前記軸ピンの前記頭部を把持する把持部と、前記ラッチ片を軸支し、前記ラッチ片を前記外枠の前面側および後面側に対して上下方向に揺動させる揺動軸とを備えている。
【０００８】
また、請求項３に係る発明の遊技機では、請求項２に記載の発明の構成に加え、前記ラッチ片は、平面視略Ｌ字型に形成され、前記ラッチ片の、前記一端部は、前記外枠の前記前面側に向かって延設され、前記ラッチ片の、前記一端部とは反対の他端部は下方に向かって延設され、前記ラッチ片の、前記他端部に対して、前記中枠の上端部が当接して押し込まれることにより、前記ラッチ片の前記一端部は、前記揺動軸を軸心として下方に移動し、前記一端側に設けられた前記把持部が、前記軸ピンの前記頭部を把持することを特徴とする。
【０００９】
また、請求項４に係る発明の遊技機では、請求項１乃至３の何れかに記載の発明の構成に加え、前記ラッチ部は、ダイキャストで成型されることを特徴とする。
【発明の効果】
【００１０】
請求項１に係る発明の遊技機では、中枠は、外枠に対して、上ヒンジおよび下ヒンジを介して軸支されている。さらに、上ヒンジにおいて、中枠に固定された金属板には軸ピンが突設されている。そして、中枠を外枠に対して取り付ける際は、下ヒンジにおける軸のはめ合わせを行った後に、上ヒンジにおいて、中枠側の軸ピンの頭部を、外枠側に固定されたラッチ部に把持させている。このため、上ヒンジの構造が非常に単純であり、ラッチ部を構成する構成部品の数を少なくすることができ、中枠の外枠に対する軸支構造を単純にすることができる。また、上ヒンジにおいて、中枠側の軸ピンを、外枠側のラッチ部に把持させるだけの簡単な構造で、外枠に対して中枠を頑丈に軸支することができるので、外枠に対する中枠の開閉の際に、中枠が外れたりするのを防止することができる。さらに、遊技機が長期間にわたって使用され、上ヒンジに負荷がかかっても、上ヒンジの構造が単純であることから、上ヒンジの構造が壊れにくく、外枠に対して中枠を長期間強固に軸支することができる。
【００１１】
また、請求項２に係る発明の遊技機では、請求項１に記載の発明の効果に加え、ラッチ部は、固定片によって、外枠に固定される。そして、固定片から外枠の前面側に向かって延設片が延設されている。さらに、延設片の先端部に設けられた嵌合溝に、軸ピンが嵌合することで中枠の位置決めがなされる。そして、位置決めがなされた中枠の軸ピンの頭部を、嵌合溝に設けられたラッチ片の把持部が把持するので、軸ピンを簡単に係合保持することができ、中枠を外枠に対して簡単に、かつ強固に軸支することができる。また、ラッチ片は、揺動軸によって軸支されているので、ラッチ片の把持部は、前記外枠の前面側および後面側に対して上下方向に揺動する。そのため、ラッチ片の把持部は、軸ピンの頭部を容易に着脱することができる。また、ラッチ部を構成する部品が少ないので、ラッチ部の構成部品の交換などが簡単であり、ラッチ部の修理を容易にすることができる。
【００１２】
また、請求項３に係る発明の遊技機では、請求項２に記載の発明の効果に加え、ラッチ片は、平面視略Ｌ字型に形成されている。そして、ラッチ片の把持部側は、外枠の前面側に向かって延設され、ラッチ片の把持部側とは反対の他端部は下方に向かって延設されている。さらに、ラッチ片の他端部に対して、中枠の上端部が当接して押し込まれると、それと連動して、ラッチ片の把持部側が揺動軸を軸心として下方に移動する。そのため、中枠の上端部を、ラッチ片の他端部に当接させてラッチ部側に押し込むだけで、自動的に軸ピンの頭部を把持頭部によって把持させることができるので、上ヒンジにおける軸ピンの係合を簡単にすることができる。
【００１３】
また、請求項４に係る発明の遊技機では、請求項１乃至３の何れかに記載の発明の効果に加え、ラッチ部はダイキャストで成型されるので、ラッチ部を構成する各部品の寸法精度が高く、仕上げ加工などの後工程を省略することができる。よって、ラッチ部の製造コストを節約することができる。また、ダイキャストにより、ラッチ部の量産が容易となるため、大量のラッチ部を簡単に製造することができる。
【００１４】
なお、本発明においては、遊技球を発射する遊技球発射手段と、当該遊技球発射手段により発射された遊技球が流下する遊技盤とを設けてもよい。
【発明を実施するための最良の形態】
【００１５】
以下、本発明に係る遊技機の一実施の形態であるパチンコ機１について、図面に基づいて説明する。図１は、本発明の一実施の形態であるパチンコ機１の斜視図であり、図２はパチンコ機１の裏面から見た斜視図である。図１および図２に示すように、本発明の一実施の形態であるパチンコ機１によれば、外枠１２に対する中枠１３の着脱を容易にし、かつ単純な構造を有する上ヒンジ３０を備えたものである。さらに、上ヒンジ３０を構成するラッチ部３２は、ダイキャストにより製造されるため、ラッチ部３２の量産を容易とするものである。なお、図１に示すパチンコ機１の紙面手前側をパチンコ機１の前面側とし、紙面奥行き側をパチンコ機１の裏面側とする。
【００１６】
はじめに、パチンコ機１の概略構成について説明する。図１および図２に示すように、パチンコ機１は、ホールの島設備（図示外）に配設され、パチンコ機１本体を支持する略長方形状の外枠１２を備えている。そして、外枠１２の遊技者に対向する前面側には、略長方形状の中枠１３が設けられている。そして、この中枠１３の中枠左柱部１３ｃ（図５参照）は、上ヒンジ３０および下ヒンジ２７（図２参照）を介して、外枠１２の外枠左柱部１２ｃ（図２参照）近傍に軸支されている。そのため、中枠１３が外枠１２に対して、略水平方向に回動可能となっている。
【００１７】
一方、中枠１３の略中央よりやや上部には、遊技盤２が固定されるための略長方形状の遊技盤用開口部Ｑ（図５参照）が形成され、当該遊技盤用開口部Ｑの前面側には、略矩形状の表枠１４が設けられている。そして、表枠１４の左側端部が、上ヒンジ３０および中ヒンジ２９を介して、中枠左柱部１３ｃ（図５参照）近傍に軸支されている。そのため、表枠１４が中枠１３に対して、略水平方向に回動可能となっている。さらに、表枠１４の略中央には、略円形状の窓部２３が形成され、その窓部２３には、略長方形状のガラス板（図示外）が嵌め込まれている。
【００１８】
また、図１に示すように、パチンコ機１の中枠１３の遊技盤用開口部Ｑ（図５参照）には、発射ハンドル７の操作により、発射手段である発射機（図示外）から発射された遊技球が流下する遊技盤２が固定されている。この遊技盤２は略正方形状に形成され、ガラス板を略中央に保持した表枠１４によって保護されている。また、中枠１３において、遊技盤２の下方には、発射機に遊技球を供給し、かつ賞品球を受け入れる上皿５が設けられている。さらに、上皿５の直下には、賞品球を受ける下皿６が設けられ、その下皿６の右側には発射機による遊技球の発射を調整する発射ハンドル７が設けられている。また、下皿６の左側には、灰皿９が設けられている。
【００１９】
さらに、図１に示すように、中枠１３の上皿５の右側には鍵穴７５が設けられており、この鍵穴７５の背面にはシリンダ錠（図示外）が設けられている。そして、この鍵穴７５に鍵（図示外）を挿入し、挿入された鍵を反時計回りに回転させることにより、外枠１２に対して固定されていた中枠１３が、略水平方向に回動可能となる。一方、挿入された鍵を時計回りに回転させることにより、中枠１３に対して表枠１４が略水平方向に回動可能となる。
【００２０】
一方、図１に示すように、遊技盤２の前面には、外レール（図示外）および内レール１０が設けられ、その内レール１０の内側には略円形状の遊技領域４が設けられている。そして、この遊技領域４の略中央には、ＬＣＤから構成された特別図柄表示画面、各種ランプおよびＬＥＤを備えた特別図柄表示装置８が設けられている。また、この特別図柄表示装置８の下側には特別図柄始動電動役物１５が設けられている。さらに、特別図柄始動電動役物１５の下方には、大入賞口１６が設けられている。そして、大入賞口１６の下方には、何れの入賞口にも入賞しなかった遊技球が回収されるアウト口（図示外）が設けられている。
【００２１】
また、図２に示すように、パチンコ機１の裏面側には、制御基板、サブ統合基板、音基板などの各種基板が組み付けられており、それら基板は、樹脂製の透明な板材からなるセンターカバー８５や基板ボックス８６，８７が覆設されて保護されている。また、センターカバー８５の上部には、遊技機設置島から供給される遊技球を貯留する遊技球タンク８１が設けられている。
【００２２】
次に、外枠１２について説明する。図３は、外枠１２の左上角部近傍を上から見た図であり、図４は、外枠１２の左上角部近傍を左側から見た図である。図１および図２に示すように、外枠１２は、ホールの島設備（図示外）に取り付けられるパチンコ機１本体を支持する枠部材である。図１および図２に示すように、この外枠１２は、外枠上柱部１２ａ、外枠右柱部１２ｂ、外枠左柱部１２ｃ、外枠下柱部１２ｄからなり、略長方形状の枠を構成している。そして、外枠下柱部１２ｄは、他の３つの柱部材である外枠上柱部１２ａ、外枠右柱部１２ｂ、外枠左柱部１２ｃよりもやや前方へ突出した形状を有している。このため、外枠下柱部１２ｄは、他の３本の枠部材よりも高い強度を有し、土台としての機能も担っている。さらに、図２に示すように、外枠下柱部１２ｄの、遊技者に対向する前面には、樹脂で形成された黒色の薄板である化粧板（図示外）が覆設されている。
【００２３】
そして、上記構成からなる外枠１２の左上角部近傍には、本発明の要部である上ヒンジ３０を構成するラッチ部３２が固定されている。図３および図４に示すように、ラッチ部３２は、略Ｌ字型のラッチ固定片３３と、当該ラッチ固定片３３から、外枠１２の前面側に向かって突出して延設されたラッチ延設片３４とから構成されている。そして、ラッチ固定片３３は、外枠上柱部１２ａと外枠左柱部１２ｃとが接する角部近傍の各外側面に当接されている。そして、図３に示すように、ラッチ固定片３３の、外枠上柱部１２ａの上面に当接する片は、２つの固定ネジ４０，４０で固定されている。一方、図４に示すように、外枠左柱部１２ｃの外側面に当接する片は、２つの固定ネジ４１，４１で固定されている。そして、ラッチ延設片３４の先端部には、ラッチ片３５が揺動軸３７によって軸支され、中枠１３の中枠上柱部１３ａ（図６参照）に固定されたヒンジ掛け部２６（図６参照）の軸ピン２２の先端に設けられた頭部２２ｃ（図６参照）を把持している。こうして、図１および図２に示すように、ラッチ部３２と、ヒンジ掛け部２６（図６参照）とで上ヒンジ３０を構成している。なお、上ヒンジ３０の構造については、後に詳述する。
【００２４】
次に、中枠１３について説明する。図５は、中枠１３の前面から見た斜視図であり、図６は、中枠１３の左上角部近傍に固定されたヒンジ掛け部２６の左側面図である。図５に示すように、中枠１３は、中枠上柱部１３ａ、中枠右柱部１３ｂ、中枠左柱部１３ｃ、中枠下柱部１３ｄにより、略長方形状に構成されている。そして、中枠１３を構成する各柱部材は、金属製の板部材からなる。さらに、中枠上柱部１３ａ、中枠右柱部１３ｂおよび中枠左柱部１３ｃは、平面視略短冊形状に形成されている。一方、中枠下柱部１３ｄは、中枠上柱部１３ａ、中枠右柱部１３ｂおよび中枠左柱部１３ｃの幅よりも広い面積を有する平面視略長方形状に形成されている。そして、中枠下柱部１３ｄの前面側には、上述した下皿６、発射ハンドル７および灰皿９などの各部品（図１参照）および各装置が組み付けられる。
【００２５】
また、図５に示すように、中枠上柱部１３ａの前面の、長手方向左側一端部近傍には、ラッチ部３２（図３参照）とともに、上ヒンジ３０を構成するヒンジ掛け部２６が固定されている。ヒンジ掛け部２６は、略水平に延設され、２つの固定ネジ２４ａで固定された短冊状のヒンジ固定片２４と、当該ヒンジ固定片２４の長手方向左側一端側近傍の上端部から略水平に延設された水平片２１と、当該水平片２１の上面から略垂直上方に突設された軸ピン２２と、水平片２１の下面から略垂直下方に突設された表枠軸ピン２５とで構成されている。一方、中枠左柱部１３ｃの前面の、長手方向略中間よりもやや下方位置近傍には、中ヒンジ２９を構成する受け部２９ａが固定されている。この受け部２９ａは、表枠１４（図１参照）の左下角部近傍に固定された掛け部（図示外）とともに中ヒンジ２９（図１参照）を構成する。そして、受け部２９ａには、受け部２９ａの上面から上方に向かって軸ピン２９ｂが突設され、その軸ピン２９ｂには、表枠１４（図１参照）の左下角部近傍に固定された掛け部（図示外）に設けられた係合穴（図示外）が係合する。さらに、中枠左柱部１３ｃの前面の、長手方向下端部近傍には、掛け部２７ａが固定されている。この掛け部２７ａは、外枠１２（図１参照）の左下角部に固定された受け部（図示外）とともに下ヒンジ２７（図２参照）を構成する。さらに掛け部２７ａには、下ヒンジ２７（図２参照）の受け部に凸設された軸ピン（図示外）と係合するための係合穴２７ｂが設けられている。
【００２６】
そして、図１および図２に示すように、中枠１３の中枠左柱部１３ｃ（図５参照）は、上ヒンジ３０および下ヒンジ２７を介して、外枠１２の外枠左柱部１２ｃ近傍に軸支されることにより、外枠１２に対して中枠１３が略水平方向に回動可能となる。一方、表枠１４の左側の端部は、上ヒンジ３０および中ヒンジ２９を介して、中枠１３の中枠左柱部１３ｃ（図５参照）近傍に軸支されることにより、中枠１３に対して表枠１４が略水平方向に回動可能となる。
【００２７】
また、図５に示すように、上記構成からなる中枠１３には、遊技盤２を固定するための４つの固定レバー７０，７１，７２，７３が設けられている。これら固定レバー７０，７１，７２，７３は、略Ｌ字型のアングル部材によって構成されている。詳細にいうと、中枠右柱部１３ｂの長手方向上端部近傍には、遊技盤２（図１参照）の右上角部近傍を固定するための固定レバー７０の長手方向一端側が軸支され、中枠右柱部１３ｂの長手方向下端部よりやや上方には、遊技盤２の右下角部近傍を固定するための固定レバー７１の長手方向一端側が軸支されている。一方、中枠左柱部１３ｃの長手方向上端部近傍には、遊技盤２の左上角部近傍を固定するための固定レバー７２の長手方向一端側が軸支され、中枠左柱部１３ｃの長手方向下端部よりやや上方には、遊技盤２の左下角部近傍を固定するための固定レバー７３の長手方向一端側が軸支されている。
【００２８】
こうして、固定レバー７０，７１，７２，７３は、中枠１３に対して、手動により各々回動可能となっている。例えば、固定レバー７０，７１，７２，７３の軸支される一端側とは反対の他端側が、中枠１３の内側に向かって略水平方向に位置する時、固定レバー７０，７１，７２，７３は、遊技盤２（図１参照）を固定可能な「遊技盤固定位置」の状態にある。一方、固定レバー７０，７１，７２，７３の軸支される一端側とは反対の他端側が、中枠１３の上方に向かって位置する時、固定レバー７０，７１，７２，７３は、遊技盤２（図１参照）を取り外し可能な「遊技盤開放位置」の状態にある。そして、固定レバー７０，７１，７２，７３を、遊技盤固定位置および遊技盤開放位置の間で手動で変位させることにより、中枠１３に対する遊技盤２（図１参照）の着脱を可能としている。
【００２９】
次に、遊技盤固定枠５０について説明する。図５に示すように、遊技盤固定枠５０は、中枠１３に対する遊技盤２（図１参照）の位置決めをして固定するための枠部材であり、中枠１３の裏面側に固着されている。そして、遊技盤固定枠５０は、固定枠上柱部５０ａ、固定枠右柱部５０ｂ、固定枠左柱部５０ｃ、固定枠下柱部５０ｄによって、略長方形状の枠を構成している。また、これら柱部材は、金属製のアングル部材であり、固定枠左柱部５０ｃおよび固定枠右柱部５０ｂは、平面視略短冊形状に形成されている。一方、固定枠上柱部５０ａおよび固定枠下柱部５０ｄは、固定枠左柱部５０ｃおよび固定枠右柱部５０ｂよりも幅の広い平面視略長方形状に形成されている。そして、このような構成からなる遊技盤固定枠５０の内側には、略長方形状の遊技盤用開口部Ｑが形成されている。この遊技盤用開口部Ｑには、図１に示す遊技盤２の背面から突出する特別図柄表示装置８の一部や、各部品の凸部形状が挿入される。したがって、遊技盤固定枠５０の前面に、遊技盤２（図１参照）の裏面を密着させることができる。
【００３０】
次に、中枠１３側に固定されるヒンジ掛け部２６について説明する。図５および図６に示すように、ヒンジ掛け部２６は、中枠１３の中枠上柱部１３ａの長手方向左側一端部近傍に固定され、略水平に延設され、２つの固定ネジ２４ａ（図５参照）で固定された短冊状のヒンジ固定片２４と、当該ヒンジ固定片２４の長手方向左側一端部近傍の上端部から略水平に延設された水平片２１と、当該水平片２１の上面の略中央より略垂直上方に突設された軸ピン２２と、水平片２１の下面から略垂直下方に突設され、表枠１４（図１参照）の上端部に設けられた受け部（図示外）に軸支される表枠軸ピン２５とで構成されている。このヒンジ掛け部２６は、外枠１２に固定されたラッチ部３２（図１参照）とともに上ヒンジ３０（図１参照）を構成する。なお、図５に示すヒンジ固定片２４と、水平片２１とが、「金属板」に相当する。
【００３１】
さらに、図６に示すように、軸ピン２２は３つの部位からなる。その３つの部位とは、水平片２１の上面に固定される平面視略円形状のピン固定部２２ａと、当該ピン固定部２２ａの上面に突設され、軸ピン２２の本体を形成する略円筒状のピン本体２２ｂと、当該ピン本体２２ｂの先端側に設けられ、ピン本体２２ｂよりもやや径が大きく形成された略茸形状である頭部２２ｃとである。また、頭部２２ｃの先端側の外周面は、テーパ状に形成されている。そして、軸ピン２２の頭部２２ｃには、ラッチ片３５の把持頭部５２の鉤状係合部５１（図１５参照）が係合するようになっており、互いにラッチ機構を形成している。
【００３２】
次に、本発明の要部であるラッチ部３２について説明する。図７は、ラッチ部３２の左側面図であり、図８は、ラッチ部３２の平面図であり、図９は、ラッチ部３２の正面図である。さらに、図１０は、ラッチ部３２の裏面図であり、図１１は、ラッチ片３５の把持頭部５２を上方に押し上げた状態を示すラッチ部３２の正面図であり、図１２は、ラッチ片３５の把持頭部５２を上方に押し上げた状態を示すラッチ部３２の左側面図である。図７に示すラッチ部３２は、外枠１２（図１参照）の左上角部近傍に固定され、中枠１３の左上角部近傍に固定されるヒンジ掛け部２６（図６参照）とともに、上ヒンジ３０（図１参照）を構成し、互いにラッチ機構を構成している。
【００３３】
まず、ラッチ部３２の構造について説明する。図７および図８に示すように、ラッチ部３２は、外枠１２（図１参照）の左上角部近傍に固定される略Ｌ字型のラッチ固定片３３と、当該ラッチ固定片３３より、外枠１２（図１参照）の前面側に向かって延設されるラッチ延設片３４とから構成されている。そして、図８に示すように、ラッチ延設片３４の略中央には、平面視略長方形状の嵌合溝３４ａが形成され、その嵌合溝３４ａの前方側の端部は開放されている。そのため、ラッチ延設片３４の先端側は、平面視略コの字型形状となっている。さらに、ラッチ延設片３４の下部には、外枠１２の前面側に向かって延設されたラッチ片３５が設けられ、そのラッチ片３５の先端部は、嵌合溝３４ａの内側に嵌め込まれている。図９および図１０に示すように、このラッチ片３５の先端部には、ヒンジ掛け部２６の軸ピン２２の頭部２２ｃ（図６参照）を把持して固定する把持頭部５２が設けられている。さらに、図１０に示すように、その把持頭部５２の下面側には、ヒンジ掛け部２６の軸ピン２２の頭部２２ｃ（図６参照）に係合する鉤状係合部５１が形成されている。
【００３４】
また、図７および図８に示すように、嵌合溝３４ａ（図８参照）の後端側には、ラッチ延設片３４の延設方向に対して直交する方向に軸線を有する揺動軸３７が固定され、その揺動軸３７は、ラッチ片３５を軸支している。このため、ラッチ片３５は、揺動軸３７を軸心として、外枠１２の前面側および後面側に対して、上下方向に揺動するようになっている。また、図９および図１０に示すように、ラッチ片３５の後端側は、略垂直下方に向かって延設され、中枠１３の上端部が当接して押し込まれる略正方形状のラッチ当接部５４が設けられている。さらに、図１０および図１１に示すように、ラッチ片３５の下方において、揺動軸３７（図１１参照）の軸支される部位よりも後方側には、バネ６０が埋め込まれるようにして配設されている。このバネ６０は、図１１に示すように、ラッチ片３５の後端側を上方に付勢することで、ラッチ片３５が揺動軸３７を軸心として回動し、ラッチ片３５の先端部である把持頭部５２が下方に付勢される。このため、ラッチ片３５の把持頭部５２は、嵌合溝３４ａに常時嵌合された状態となっている。
【００３５】
次に、ラッチ固定片３３について説明する。図７、図８および図９に示すように、ラッチ固定片３３は、略Ｌ字型の固定片である。このラッチ固定片３３は、略水平に延設された平面視略長方形状の上面固定部３３ａと、当該上面固定部３３ａの一端部から略垂直下方に延設された平面視略長方形状の側面固定部３３ｂとから構成されている。そして、図８に示すように、上面固定部３３ａの、側面固定部３３ｂと隣接する辺とは反対の他辺近傍には、２つの固定穴４０ａ，４０ａが、ラッチ固定片３３の稜線の長手方向に対して平行かつ直列して設けられている。一方、図７に示すように、側面固定部３３ｂの、下方側の一端部近傍には、２つの固定穴４１ａ，４１ａが、ラッチ固定片３３の稜線の長手方向に対して、平行かつ直列して設けられている。そして、このような構成からなるラッチ固定片３３において、上面固定部３３ａが、外枠１２の外枠上柱部１２ａ（図３参照）の上面に当接され、側面固定部３３ｂが、外枠左柱部１２ｃの外側面（図４参照）に当接される。さらに、上面固定部３３ａの固定穴４０ａ，４０ａには、固定ネジ４０，４０（図３参照）を各々固定する。一方、側面固定部３３ｂの固定穴４１ａ，４１ａには、固定ネジ４１，４１（図４参照）を各々固定する。こうして、ラッチ固定片３３が、外枠１２（図１参照）の左上角部近傍に強固に固定される。
【００３６】
次に、ラッチ延設片３４について説明する。図７および図８に示すように、ラッチ延設片３４は略直方体状の延設部材である。そして、図８に示すように、ラッチ延設片３４は、ラッチ固定片３３の、上面固定部３３ａの一端部より、外枠１２の前面側（図３および図４参照）に向かってその先端側が突出している。そして、ラッチ延設片３４の先端部の角部は面取りされているため、当該先端部は曲面を有している。さらに、ラッチ延設片３４の略中央には、平面視略長方形状の嵌合溝３４ａが設けられ、その嵌合溝３４ａの前方側（外枠１２の前面側）は開放されている。そのため、ラッチ延設片３４の先端側は、平面視略コの字型形状となっている。また、図９に示すように、この嵌合溝３４ａの下段には、嵌合溝３４ａの奥行き方向に沿ってフランジ部４５，４５が設けられている。そして、このような嵌合溝３４ａに、図６に示すヒンジ掛け部２６の軸ピン２２を挿入させると、軸ピン２２の頭部２２ｃの底面部が、フランジ部４５，４５の上部を移動する。さらに、軸ピン２２が嵌合溝３４ａの奥行き方向に向かって移動することにより、軸ピン２２が、嵌合溝３４ａの奥側に嵌合するようになっている。
【００３７】
次に、ラッチ片３５について、図１３乃至図１６を参照して説明する。図１３は、ラッチ片３５の平面図であり、図１４は、ラッチ片３５の左側面図であり、図１５は、ラッチ片３５の裏面図であり、図１６は、ラッチ片３５の正面図である。なお、以下の説明において、ラッチ片３５の把持頭部５２側を「ラッチ片３５の前方側」とし、ラッチ片３５のラッチ当接部５４側を「ラッチ片３５の後方側」とする。
【００３８】
図１３乃至図１５に示すように、ラッチ片３５は、平面視および側面視が略Ｌ字型形状に形成されている。このラッチ片３５は、ラッチ片３５の本体を形成する略ベース型形状のラッチ本体部５３と、当該ラッチ本体部５３の、外枠１２の前面側に位置する一端部よりやや斜め上方に向かって延設された第１首部５７と、当該第１首部５７のラッチ本体部５３と連接する一端部とは反対の他端部に連接され、ラッチ片３５の先端部を形成する把持頭部５２と、ラッチ本体部５３の第１首部５７が連接する端部とは反対の端部には、略垂直下方に延設された平面視略正方形状のラッチ当接部５４と、当該ラッチ当接部５４に隣接して、ラッチ本体部５３の他端部より略垂直下方に延設され、ラッチ当接部５４よりも短く延設された平面視略帯状の第２首部５６（図１５、図１６参照）とから構成されている。
【００３９】
また、図１３および図１５に示すように、把持頭部５２は、平面視略長方形状に形成されている。さらに、図１４に示すように、把持頭部５２の先端部側は内側に折り返されているため、その縦断面は略コの字型に形成されている。そして、把持頭部５２の平面の長手方向に直交する方向の両端部からは、軸支片５２ａが略垂直下方に各々延設されている。さらに、それら２つの軸支片５２ａには、揺動軸３７（図１７参照）が挿入されるための軸支穴５２ｂが各々設けられている。そして、それら２つの軸支穴５２ｂは互いに同軸上に位置している。また、図１５に示すように、把持頭部５２の先端部は、内側に湾曲する曲線状に切断され、鉤状係合部５１が形成されている。そして、この鉤状係合部５１に、ヒンジ掛け部２６の軸ピン２２の頭部２２ｃ（図６参照）が係合するようになっている。なお、図１５に示す把持頭部５２および鉤状係合部５１が、「把持部」に相当する。
【００４０】
さらに、図１６に示すように、ラッチ当接部５４は、平面視略正方形状に形成されている。これは、中枠１３（図５参照）の上端部を密着して当接しやすい形状であり、当接する面積がやや広めにとられている。また、中枠１３（図５参照）の上端部がラッチ当接部５４に確実に当接するために、図１６に示すように、ラッチ片３５を正面から見た時に、ラッチ当接部５４が把持頭部５２よりも、外枠１２（図１参照）の内側（図１６の右側）よりになるように設けられている。こうすることにより、中枠１３が外枠１２（図１参照）に対して組み付けられる際に、中枠１３（図１参照）の上端部を確実にラッチ当接部５４に当接させることができる。なお、ラッチ当接部５４の形状については、特に限定されず、中枠１３が確実に密着して当接できる形状であればよい。
【００４１】
次に、揺動軸３７について説明する。図１７は、揺動軸３７の平面図である。図１２に示すように、揺動軸３７は、ラッチ延設片３４の右側面および左側面を貫通して穿設された軸支穴（図示外）に、図１４に示すラッチ片３５の各軸支片５２ａの軸支穴５２ｂに各々挿入された状態で固定される。図１７に示すように、揺動軸３７は、一般的な固定ネジであり、ネジ本体部３９と、当該ネジ本体部３９の一端側に設けられたネジ頭部３８と、その反対の他端部側の外周面上に形成されたネジ部３９ａとで構成されている。そして、ネジ頭部３８の溝にドライバなどを差し込んで回転させることにより、図１２に示すように、揺動軸３７がラッチ延設片３４に固定され、ラッチ片３５がラッチ延設片３４を軸支するようになっている。
【００４２】
次に、バネ６０について説明する。図１８は、バネ６０の正面図である。図１８に示すように、バネ６０は、螺旋状に巻かれた略円筒状のバネ本体６０ｃと、当該バネ本体６０ｃを形成する金属線の一端部が上方に延設されたバネ上端部６０ａと、バネ本体６０ｃを形成する金属線の一端部とは反対の他端部が、側方に折り返されたバネ下端部６０ｂとから構成されている。そして、図１１に示すように、このような構成からなるバネ６０が、ラッチ片３５の下方側に埋め込まれるようにして配設される。さらに、図１０に示すように、バネ上端部６０ａを、ラッチ延設片３４の内側底面に引っ掛け、バネ下端部６０ｂを、ラッチ片３５のラッチ本体部５３に当接させる。こうして、ラッチ片３５のラッチ本体部５３は、バネ６０のバネ下端部６０ｂによって常時上方に付勢されるので、ラッチ片３５の把持頭部５２が下方に向かって常時付勢された状態にすることができる。したがって、ラッチ片３５が、上下に振動するのを防止できる。さらに、図６に示すヒンジ掛け部２６の軸ピン２２を把持していたラッチ片３５の把持頭部５２が突然外れたりするのを防止することもできる。
【００４３】
なお、このような構成からなるラッチ部３２において、ラッチ固定片３３、ラッチ延設片３４は一体的に形成され、ダイキャストで製造される。また、ラッチ部３２のラッチ片３５も同様にダイキャストで製造される。したがって、ラッチ部３２の量産が容易となるため、ラッチ部３２を安価に、かつ大量生産することができる。また、ダイキャストで製造されるラッチ部３２の各構成部品の寸法精度が高いことから、仕上げ加工などの後工程を省略することができる。よって、ラッチ部３２の製造コストを節約することができる。また、ラッチ部３２は、少数の部材が互いに組み合わされた単純な構造であるため、構成部品の交換が容易であり、ラッチ部３２の修理を簡単に行うことができる。
【００４４】
次に、上記構成からなるラッチ部３２と、ヒンジ掛け部２６とのラッチ機構について説明する。図１９は、ラッチ部３２の把持頭部５２を上方に押し上げた状態で、嵌合溝３４ａに、ヒンジ掛け部２６の軸ピン２２を嵌合させた状態を示す図であり、図２０は、図１９の把持頭部５２を下方に下ろした状態を示す図である。はじめに、外枠１２の左上角部近傍に固定されたラッチ部３２において、ラッチ片３５の把持頭部５２を上方に押し上げる。すると、図１１に示すように、ラッチ延設片３４の内側が露出され、嵌合溝３４ａの内側に設けられたフランジ部４５，４５が露出される。また、図１２に示すように、ラッチ片３５のラッチ当接部５４が、外枠１２（図１参照）の前方側に移動し、中枠１３（図５参照）の上端部の当接を待機する状態となる。そして、このラッチ当接部５４に中枠１３の上端部を当接するとともに、図１９に示すように、この嵌合溝３４ａの前方側から、ヒンジ掛け部２６の軸ピン２２を挿入する。さらに、軸ピン２２の頭部２２ｃの底面を、嵌合溝３４ａのフランジ部 ４５，４５上を移動させるようにして、軸ピン２２のピン本体２２ｂを嵌合溝３４ａの奥側に押し込む。
【００４５】
そして、図２０に示すように、ヒンジ掛け部２６の軸ピン２２のピン本体２２ｂが、ラッチ延設片３４の嵌合溝３４ａの奥側に押し込まれると、ラッチ片３５が揺動軸３７（図１２参照）を軸心として回動し、ラッチ片３５の把持頭部５２が下方に降りる。すると、図１０に示す把持頭部５２の鉤状係合部５１が、軸ピン２２の頭部２２ｃの底面に係合する。こうして、ヒンジ掛け部２６の軸ピン２２が、ラッチ部３２のラッチ片３５に強固に把持された状態となる。
【００４６】
次に、外枠１２に対する中枠１３の組み付け方法について説明する。はじめに、図５に示す中枠１３の左下角部近傍に固定された掛け部２７ａの係合穴２７ｂを、図２に示す外枠１２の外枠下柱部１２ｄの長手方向左側一端部近傍の上面に固定された受け部（図示外）の軸ピン（図示外）に係合させ、下ヒンジ２７のピン合わせを行う。そして、上記説明したように、中枠１３側の、図６に示すヒンジ掛け部２６の軸ピン２２を、図２０に示すように、ラッチ部３２に把持させることにより、外枠１２に対して中枠１３が軸支される。このように、図２に示す下ヒンジ２７側のピン合わせをすることで、ワンタッチで上ヒンジ３０のピン合わせを行うことができるので、外枠１２に対する中枠１３の着脱を容易に、かつ迅速に行うことができる。また、作業者の披露も軽減することができ、作業効率も向上することができる。
【００４７】
以上説明したように、本発明の一実施の形態であるパチンコ機１によれば、外枠１２の左上角部近傍には、ラッチ部３２が固定され、中枠１３の左上角部近傍には、ヒンジ掛け部２６が固定され、互いにラッチ機構を構成することで上ヒンジ３０を構成している。そして、ラッチ部３２は、外枠１２の左上角部近傍に固定される断面視略Ｌ字型のラッチ固定片３３と、当該ラッチ固定片３３より、外枠１２の前面側に向かって延設されるラッチ延設片３４とから構成されている。そして、ラッチ延設片３４の略中央には、平面視略長方形状の嵌合溝３４ａが形成されている。さらに、ラッチ延設片３４の下部には、外枠１２の前面側に向かって延設されたラッチ片３５が設けられ、そのラッチ片３５の先端部は、嵌合溝３４ａの内側に嵌め込まれている。このラッチ片３５の先端部には、ヒンジ掛け部２６の軸ピン２２の頭部２２ｃを把持して固定する把持頭部５２が設けられ、その把持頭部５２の下面側には、ヒンジ掛け部２６の軸ピン２２の頭部２２ｃに係合する鉤状係合部５１が形成されている。
【００４８】
そして、嵌合溝３４ａの後端側には、ラッチ延設片３４の延設方向に対して直交する方向に軸線を有する揺動軸３７が固定され、その揺動軸３７は、ラッチ片３５を軸支している。このため、ラッチ片３５は、揺動軸３７を軸心として、外枠１２の前後方向に対して、上下方向に揺動することができる。また、ラッチ片３５の後方側端部には、略垂直下方に向かって延設され、中枠１３の上端部が当接して押し込まれる略正方形状のラッチ当接部５４が設けられている。
【００４９】
このようなラッチ部３２において、まず、ラッチ片３５の把持頭部５２を上方に押し上げる。すると、ラッチ延設片３４の内側のフランジ部４５，４５が露出される。さらに、ラッチ片３５のラッチ当接部５４が、外枠１２の前方側に移動する。そして、このラッチ当接部５４に中枠１３の上端部を当接するとともに、この嵌合溝３４ａの前方側から、ヒンジ掛け部２６の軸ピン２２を挿入する。すると、それにラッチ当接部５４も動きに連動して、上方に押し上げられたラッチ片３５の把持頭部５２が、揺動軸３７を軸心として自動的に下方に移動する。すると、把持頭部５２の鉤状係合部５１が、軸ピン２２の頭部２２ｃの底面に係合する。したがって、ヒンジ掛け部２６の軸ピン２２を、ラッチ部３２のラッチ片３５に対して強固に把持させることができる。
【００５０】
また、ラッチ部３２において、ラッチ固定片３３、ラッチ延設片３４は一体的に形成され、ダイキャストで製造され、ラッチ部３２のラッチ片３５も同様にダイキャストで製造される。したがって、ラッチ部３２の量産が可能となるため、ラッチ部３２を安価に、かつ大量生産することができる。また、ダイキャストで製造されるラッチ部３２の各構成部品の寸法精度が高いことから、仕上げ加工などの後工程を省略することができる。よって、ラッチ部３２の製造コストを節約することができる。さらに、ラッチ部３２は、少数の部材が互いに組み合わされた単純な構造であるため、構成部品の交換が容易であり、修理が非常に簡単である。
【００５１】
なお、本発明は、以上詳述した実施の形態に限定されるものではなく、種々の変更が可能である。まず、本実施の形態では遊技機として、遊技機の一種であるパチンコ機１を例に挙げているが、遊技機はパチンコ機に限られず、パチコン機およびスロット等の各種遊技機に適用可能である。
【産業上の利用可能性】
【００５２】
本発明の遊技機は、パチンコ機に限られず、パチコン機およびスロット等の遊技機に適用可能である。
【図面の簡単な説明】
【００５３】
【図１】本発明の一実施の形態であるパチンコ機１の斜視図である。
【図２】パチンコ機１の裏面から見た斜視図である。
【図３】外枠１２の左上角部近傍を上から見た図である。
【図４】外枠１２の左上角部近傍を左側から見た図である。
【図５】中枠１３の前面から見た斜視図である。
【図６】中枠１３の左上角部近傍に固定されたヒンジ掛け部２６の左側面図である。
【図７】ラッチ部３２の左側面図である。
【図８】ラッチ部３２の平面図である。
【図９】ラッチ部３２の正面図である。
【図１０】ラッチ部３２の裏面図であり、
【図１１】ラッチ片３５の把持頭部５２を上方に押し上げた状態を示すラッチ部３２の正面図である。
【図１２】ラッチ片３５の把持頭部５２を上方に押し上げた状態を示すラッチ部３２の左側面図である。
【図１３】ラッチ片３５の平面図である。
【図１４】ラッチ片３５の左側面図である。
【図１５】ラッチ片３５の裏面図である。
【図１６】ラッチ片３５の正面図である。
【図１７】揺動軸３７の平面図である。
【図１８】バネ６０の正面図である。
【図１９】ラッチ部３２の把持頭部５２を上方に押し上げた状態で、嵌合溝３４ａに、ヒンジ掛け部２６の軸ピン２２を嵌合させた状態を示す図である。
【図２０】図１９の把持頭部５２を下方に下ろした状態を示す図である。
【符号の説明】
【００５４】
１    パチンコ機
２    遊技盤
１２    外枠
１３    中枠
２１    水平片
２２    軸ピン
２２ｃ  頭部
２４    ヒンジ固定片
２７    下ヒンジ
３０    上ヒンジ
３２    ラッチ部
３３    ラッチ固定片
３４    ラッチ延設片
３４ａ  嵌合溝
３５    ラッチ片
３７    揺動軸
５１    鉤状係合部
５２    把持頭部
【図１】
2005253701.tif 000003
【図２】
2005253701.tif 000004
【図３】
2005253701.tif 000005
【図４】
2005253701.tif 000006
【図５】
2005253701.tif 000007
【図６】
2005253701.tif 000008
【図７】
2005253701.tif 000009
【図８】
2005253701.tif 000010
【図９】
2005253701.tif 000011
【図１０】
2005253701.tif 000012
【図１１】
2005253701.tif 000013
【図１２】
2005253701.tif 000014
【図１３】
2005253701.tif 000015
【図１４】
2005253701.tif 000016
【図１５】
2005253701.tif 000017
【図１６】
2005253701.tif 000018
【図１７】
2005253701.tif 000019
【図１８】
2005253701.tif 000020
【図１９】
2005253701.tif 000021
【図２０】
2005253701.tif 000022